【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
互いに反対側となる端部分を有する壁部によって画成される表面であって、前記端部分が管腔に沿った蠕動運動の方向への軸に沿って間隔をあけて配置された状態で、前記管腔の一部の形状及びサイズに略適合するように構成された表面を備える管腔内デバイスにおいて、
前記壁部は、外方に自己拡張し、且つ、前記端部分同士の間に少なくとも２つの開口部を有し、
前記管腔内デバイスの遠位への遊走を引き起こす蠕動波に抗するように、細胞組織が前記少なくとも２つの開口部に入り、
前記少なくとも２つの開口部が、前記管腔の蠕動波の波長と少なくとも同じ桁数の大きさの距離だけ前記軸に沿って離して配置され、
前記少なくとも２つの開口部の少なくとも１つは、前記蠕動波が前記管腔内デバイスを通過するときに前記管腔に係合する、管腔内デバイス。
【請求項２】
前記壁部が、前記軸に関する略円筒状であり、前記少なくとも２つの開口部のそれぞれが、前記壁部の外周の周りで半径方向に分散する複数の開口部から構成される請求項１に記載の管腔内デバイス。
【請求項３】
前記複数の開口部のそれぞれが、１つのパターンで、前記壁部の外周の周りで半径方向に分散する請求項２に記載の管腔内デバイス。
【請求項４】
前記パターンのそれぞれは、前記軸に対して略垂直に配列される請求項３に記載の管腔内デバイス。
【請求項５】
前記パターンは、前記管腔の蠕動波の波長と少なくとも同じ桁数の大きさの距離だけ離して配置される請求項４に記載の管腔内デバイス。
【請求項６】
前記パターンは、少なくとも前記管腔の前記蠕動波の波長程度である距離だけ離して配置される請求項５に記載の管腔内デバイス。
【請求項７】
前記少なくとも２つの開口部のそれぞれは、前記軸に略垂直に且つ実質的に前記壁部を囲むように延在する開口帯部を含む請求項１に記載の管腔内デバイス。
【請求項８】
前記複数の開口部はそれぞれ、実質的に前記壁部を囲むように延在する複数の離散した開口部を含む請求項２に記載の管腔内デバイス。
【請求項９】
前記壁部が、支持構造体と前記支持構造体を覆うカバーとによって画成され、前記開口部のそれぞれが前記カバーに画成される請求項１に記載の管腔内デバイス。
【請求項１０】
前記支持構造体は、複数の交差するメッシュ部分によって画成され、それにより複数の直線で囲まれた多角形を画成し、前記少なくとも２つの開口部は、離散した開口部であり、前記離散した開口部はそれぞれ、前記多角形による複数の隣接する多角形からなるサイズであり、前記カバーによって互いから隔てられる請求項９に記載の管腔内デバイス。
【請求項１１】
少なくとも１つの前記開口部は、ひし形、十字形、直線形及び「Ｈ」形状から選択される少なくとも１つを含む形状に配列された前記多角形による少なくとも３つの前記隣接する多角形からなるサイズである請求項１０に記載の管腔内デバイス。
【請求項１２】
前記少なくとも２つの開口部のそれぞれは、前記支持構造体での粘膜の増殖を調整するように構成される請求項１に記載の管腔内デバイス。
【請求項１３】
前記少なくとも２つの開口部のそれぞれは、制御されていない粘膜の増殖を促進するような量を下回る寸法を有することによって、粘膜の増殖を調整するように構成される請求項１２に記載の管腔内デバイス。
【請求項１４】
前記少なくとも２つの開口部のそれぞれは、前記粘膜に接触するように適応した側部と反対側にある少なくとも１つの前記開口部で前記支持構造体の側部上に延在する前記カバーによって、粘膜の増殖を調整するように構成される請求項１２に記載の管腔内デバイス。
【請求項１５】
前記支持構造体が、外方に拡がるメッシュを含む請求項９に記載の管腔内デバイス。
【請求項１６】
前記表面は、ｉ）食道、ｉｉ）腸、ｉｉｉ）ファローピウス管、ｉｖ）尿管、ｖ）尿道、ｖｉ）精管及びｖｉｉ）胆管から選択される１つの一部の形状及びサイズに略適合するように構成される請求項１〜１５のいずれか一項に記載の管腔内デバイス。
【請求項１７】
食道用壁部によって画成され且つ食道の一部の形状及びサイズに略適合するように構成される食道用表面を有する食道用部材と、胃の噴門部の一部の形状及びサイズに略適合するように構成される噴門用表面を画成する噴門用壁部を有する噴門用部材と、前記食道用部材及び前記噴門用部材に接続される連結体とを備える肥満症用デバイスにおいて、
ｉ）前記食道用部材及びｉｉ）前記噴門用部材から選択される少なくとも１つは、受容者の神経ホルモン機構に影響を及ぼして、食物により引き起こされる膨満を増大させること及び食物がない場合には膨満を装うことによって少なくとも部分的な満腹度を引き起こすように、受容器官を刺激するように適応し、
前記食道用壁部は、外方に自己拡張し、
前記食道用壁部は、前記食道に沿った蠕動運動の方向への軸に沿って離して配置された端部分を有し、且つ、前記端部分同士の間に少なくとも２つの開口部を有し、
前記食道用部材の遠位への遊走を引き起こす蠕動波に抗するように、粘膜が前記少なくとも２つの開口部に入り、
前記少なくとも２つの開口部は、前記食道の蠕動波の波長と少なくとも同じ桁数の大きさの距離だけ前記軸に沿って離して配置され、
前記少なくとも２つの開口部の少なくとも１つは、前記蠕動波が前記食道用壁部を通過するときに前記食道に係合する、肥満症用デバイス。
【請求項１８】
前記食道用壁部が、前記軸に関する略円筒状であり、前記少なくとも２つの開口部のそれぞれが、前記食道用壁部の外周の周りで半径方向に分散する複数の開口部から構成される請求項１７に記載の肥満症用デバイス。
【請求項１９】
前記複数の開口部のそれぞれが、１つのパターンで、前記食道用壁部の外周の周りで半径方向に分散する請求項１８に記載の肥満症用デバイス。
【請求項２０】
前記パターンのそれぞれは、前記軸に対して略垂直に配列される請求項１９に記載の肥満症用デバイス。
【請求項２１】
前記パターンは、前記食道の蠕動波の波長と同じ桁数の大きさの距離だけ離して配置される請求項２０に記載の肥満症用デバイス。
【請求項２２】
前記パターンは、少なくとも前記食道の前記蠕動波の波長程度である距離だけ離して配置される請求項２１に記載の肥満症用デバイス。
【請求項２３】
前記少なくとも２つの開口部のそれぞれは、前記軸に略垂直に且つ実質的に前記食道用壁部を囲むように延在する開口帯部を含む請求項１７に記載の肥満症用デバイス。
【請求項２４】
前記複数の開口部はそれぞれ、実質的に前記食道用壁部を囲むように延在する複数の離散した開口部を含む請求項１８に記載の肥満症用デバイス。
【請求項２５】
前記食道用壁部が、支持構造体と前記支持構造体を覆うカバーとによって画成され、前記開口部のそれぞれが前記カバーに画成される請求項１７に記載の肥満症用デバイス。
【請求項２６】
前記支持構造体は、複数の交差するメッシュ部分によって画成され、それにより複数の直線で囲まれた多角形を画成し、前記開口部は、離散した開口部であり、前記離散した開口部はそれぞれ、前記多角形による複数の隣接する多角形からなるサイズであり、前記カバーによって互いから隔てられる請求項２５に記載の肥満症用デバイス。
【請求項２７】
少なくとも１つの前記開口部は、ひし形、十字形、直線形及び「Ｈ」形状から選択される少なくとも１つを含む形状に配列された前記多角形による少なくとも３つの前記隣接する多角形からなるサイズである請求項２６に記載の肥満症用デバイス。
【請求項２８】
前記少なくとも２つの開口部のそれぞれは、前記支持構造体での粘膜の増殖を調整するように構成される請求項１７に記載の肥満症用デバイス。
【請求項２９】
前記少なくとも２つの開口部のそれぞれは、制御されていない粘膜の増殖を促進するような量を下回る寸法を有することによって、粘膜の増殖を調整するように構成される請求項２８に記載の肥満症用デバイス。
【請求項３０】
前記少なくとも２つの開口部のそれぞれは、前記粘膜に接触するように適応した側部と反対側にある少なくとも１つの前記開口部で前記支持構造体の側部上に延在する前記カバーによって、粘膜の増殖を調整するように構成される請求項２８に記載の肥満症用デバイス。
【請求項３１】
前記支持構造体が、外方に拡がるメッシュを含む請求項２５に記載の肥満症用デバイス。
【請求項３２】
吸引によって粘膜がその中に捕捉されることを可能にするサイズの少なくとも１つの開口部をさらに含む請求項１７に記載の肥満症用デバイス。
【請求項３３】
捕捉された前記粘膜をまたぐ帯状部を含む請求項３２に記載の肥満症用デバイス。
【請求項３４】
蠕動を受ける管腔内で管腔内デバイスを固定する方法において、
蠕動波を受ける管腔内で管腔内デバイスを配置するステップであって、前記管腔内デバイスが、互いに反対側となる端部分を有する壁部によって画成される表面を含み、前記表面は、前記端部分が前記管腔に沿った蠕動運動の方向への軸に沿って間隔をあけて配置された状態で、前記管腔の一部の形状及びサイズに略適合するように構成されるステップ
を含み、
前記壁部が、前記端部分同士の間に少なくとも２つの開口部を有し、
前記壁部は、前記管腔に接触して細胞組織を前記少なくとも２つの開口部に入らせるように外方に自己拡張し、それにより、前記管腔内デバイスの遠位への遊走を引き起こす蠕動波に抗し、
前記少なくとも２つの開口部は、前記管腔の蠕動波の波長と少なくとも同じ桁数の大きさの距離だけ前記軸に沿って離して配置され、
前記少なくとも２つの開口部の少なくとも１つは、前記蠕動波が前記管腔内デバイスを通過するときに前記管腔に係合する、方法。
【請求項３５】
受容者内で肥満症用デバイスを固定する方法において、
受容者内に肥満症用デバイスを配置するステップであって、前記肥満症用デバイスが、食道用壁部によって画成され且つ食道の一部の形状及びサイズに略適合するように構成される食道用表面をもつ食道用部材と、胃の噴門部の一部の形状及びサイズに略適合するように構成される噴門用表面を画成する噴門用壁部を有する噴門用部材と、前記食道用部材及び前記噴門用部材に接続される連結体とを有し、前記食道用壁部が、前記食道に沿った蠕動運動の方向への軸に沿って間隔をあけて配置された端部分を有し、且つ前記端部分同士の間に少なくとも２つの開口部を有する、ステップ
を含み、
前記食道用壁部は、前記食道に接触して食道細胞組織を前記少なくとも２つの開口部に入らせるように外方に自己拡張し、それにより、前記食道用部材の遠位への遊走に抗し、
前記少なくとも２つの開口部は、前記食道の蠕動波の波長と少なくとも同じ桁数の大きさの距離だけ前記軸に沿って離して配置され、
前記開口部の少なくとも１つは、前記蠕動波が前記食道用壁部を通過するときに前記食道に係合する、方法。
【請求項３６】
管腔内デバイスにおいて、
互いに反対側となる端部分を有する壁部によって画成される表面であって、前記端部分が管腔に沿った蠕動運動の方向への軸に沿って間隔をあけて配置された状態で、前記管腔の一部の形状及びサイズに略適合するように構成された表面と、
外方に拡がるメッシュ及び前記メッシュを覆うカバーから構成される前記壁部であって、前記端部分同士の間に複数の開口部を有する前記壁部と
を備え、
前記複数の開口部の少なくとも２つが、前記管腔の蠕動波の波長と少なくとも同じ桁数の大きさの距離だけ前記軸に沿って離して配置され、
前記少なくとも２つの開口部の少なくとも１つが、前記蠕動波が前記管腔内デバイスを通過するときに前記管腔に係合し、
前記少なくとも２つの開口部はそれぞれ、離散した開口部を含み、前記離散した開口部は、前記メッシュの一部を露出させ、前記複数の開口部の少なくとも１つは、前記メッシュの開口内にあり、且つ粘膜を捕捉するようなサイズとされる、管腔内デバイス。
【請求項３７】
前記メッシュは、複数の交差するメッシュ線材によって画成され、それにより複数の直線で囲まれた多角形を画成し、前記少なくとも２つの開口部はそれぞれ、ひし形、十字形、直線形及び「Ｈ」形状から選択される少なくとも１つを含む形状に配列された前記多角形による少なくとも３つの前記隣接する多角形からなるサイズである請求項３６に記載の管腔内デバイス。
【請求項３８】
前記複数の開口部の前記少なくとも１つは、略円形状の形状である請求項３７に記載の管腔内デバイス。
【請求項３９】
前記複数の開口部の前記少なくとも１つは、略円形状の形状である請求項３６に記載の管腔内デバイス。
【請求項４０】
前記表面は、食道用部材のものであり、且つ、食道の一部の形状及びサイズに略適合するように構成され、前記管腔内デバイスが、胃の噴門部の一部の形状及びサイズに略適合するように構成される噴門用表面を画成する噴門用壁部を有する噴門用部材と、前記食道用部材及び前記噴門用部材に接続される連結体とをさらに含む請求項３６に記載の管腔内デバイス。